(57)【要約】【課題】  原稿とコンタクトガラス上面との隙間による地汚れや原稿画像の乱れの発生を防止すると、共に、良好な操作性を得て、貼り付きによる部品等の破損を防止して、安全で簡単な構造の低コストで信頼性の高い高品質の原稿画像の読み取りを行って、高速で高品質の記録画像を形成する原稿画像読取装置、及び、その原稿画像読取装置を具備する画像形成装置を提供する。【解決手段】  読み取る原稿（Ｏ）を載置するコンタクトガラス１と、コンタクトガラス１上に載置して静止した原稿（Ｏ）の原稿画像を走査して読み取る原稿画像読取手段２と、原稿画像読取手段２が原稿画像を走査して読み取り時にコンタクトガラス１上に原稿（Ｏ）を圧接して密着する圧板３と、圧板３の端部に形成した弾性部材４と、弾性部材４をコンタクトガラス１上から揺り動かす弾性部材揺動手段５とからなる。【選択図】        図１
2006148604.tif 000002
【特許請求の範囲】
【請求項１】
原稿を載置するコンタクトガラスと、上記コンタクトガラス上に載置して静止した原稿の画像を走査して読み取る原稿画像読取手段と、上記原稿画像読取手段が原稿画像を読み取る時に上記コンタクトガラス上に原稿を圧接して密着する圧板と、上記圧板の端部に形成した弾性部材と、上記弾性部材を上記コンタクトガラス上から揺り動かす弾性部材揺動手段と、からなることを特徴とする原稿画像読取装置。
【請求項２】
請求項１に記載の原稿画像読取装置において、上記圧板は、上記コンタクトガラスのカバーを兼ねていることを特徴とする原稿画像読取装置。
【請求項３】
請求項１に記載の原稿画像読取装置において、上記圧板は、シートスルー式自動原稿給送装置の底面を兼ねていることを特徴とする原稿画像読取装置。
【請求項４】
請求項１、２又は３に記載の原稿画像読取装置において、上記弾性部材は、圧板の白色シートを兼ねていることを特徴とする原稿画像読取装置。
【請求項５】
請求項１、２、３又は４に記載の原稿画像読取装置において、上記弾性部材は、樹脂材からなることを特徴とする原稿画像読取装置。
【請求項６】
請求項１、２、３、４又は５に記載の原稿画像読取装置において、上記弾性部材は、上記コンタクトガラスの手前側の端部から突き出ている突出部からなることを特徴とする原稿画像読取装置。
【請求項７】
請求項６に記載の原稿画像読取装置において、上記突出部に当接するコンタクトガラスの手前側の端部、又は、上記コンタクトガラスの手前側の上記端部を位置決めして保持するコンタクトガラス保持部材の端部を湾曲状に構成したことを特徴とする原稿画像読取装置。
【請求項８】
請求項１、２、３、４、５、６又は７に記載の原稿画像読取装置において、上記弾性部材揺動手段は、上記圧板の開放操作に連動する揺動部材からなることを特徴とする原稿画像読取装置。
【請求項９】
請求項８に記載の原稿画像読取装置において、上記揺動部材は、上記圧板を開閉する外装取手に回動可能に保持されていることを特徴とする原稿画像読取装置。
【請求項１０】
請求項９に記載の原稿画像読取装置において、上記揺動部材は、上記外装取手内に回動可能に保持された揺動取手からなることを特徴とする原稿画像読取装置。
【請求項１１】
原稿画像読取装置で読み取った原稿読み取り画像データに基づいて記録画像を形成する画像形成装置において、上記請求項１、２、３、４、５、６、７、８、９又は１０に記載の原稿画像読取装置と、上記原稿画像読取装置で読み取った読み取り原稿の原稿読み取り画像データに基づいて記録画像を形成する画像形成部とからなることを特徴とする画像形成装置。
【請求項１２】
請求項１１に記載の画像形成装置において、上記画像形成部は、電子写真方法の作像プロセスでトナーの記録画像を形成することを特徴とする画像形成装置。
【発明の詳細な説明】
【技術分野】
【０００１】
本発明は、原稿画像読取装置、及び、その原稿画像読取装置を具備する画像形成装置に関し、詳しくは、静止した原稿の原稿画像を読み取る原稿画像読取装置、及び、その原稿画像読取装置を具備して原稿画像読取装置で読み取った原稿読み取り画像データで記録画像を形成するインクジェットプリンタ等の印刷装置や、帯電、書き込み、現像、転写、クリーニング等の作像プロセスを繰り返してトナーの記録画像を形成する電子写真式の複写機、ファクシミリ装置、プリンタ、あるいはこれ等の複合機等の画像形成装置に関する。
【背景技術】
【０００２】
従来から、原稿画像読取装置、及び、その原稿画像読取装置を具備する画像形成装置（複写機、プリンタ、ファクシミリ等）において原稿画像の読み取りを行う方式としては、コンタクトガラス上に静止した原稿の画像を原稿画像読取手段で走査して読み取る原稿画像読取装置、又は、搬送される原稿の画像を原稿画像読取手段で走査して読み取るシートスルー式自動原稿送りの原稿画像読取装置が知られている。
コンタクトガラス上に原稿を静止させて、原稿画像読取手段を移動させながら、原稿画像読み取りを行なう原稿画像読取装置には、原稿をコンタクトガラスに圧接するための圧板が備えられている。
例えば、フラットベッドスキャナ、及び、複写機等において、コンタクトガラスのカバーを兼ねた圧板、又は、シートスルー式自動原稿給送装置（シートスルーＡＤＦ）の底面に取付けられた圧板等が公知である。
原稿圧板の押圧部に、コンタクトガラス上に載置された原稿に接するシート部材と、このシート部材とフレーム部の間に配置された弾性部材と、この弾性部材とフレーム部の間に配置され、フレーム部の開閉方向と直交する方向に延在する複数の可撓性フイルムと、この可撓性フイルムとフレーム部を着脱する着脱テープとを設けて、コンタクトガラスと原稿圧板の押圧部をむらなく密着させるとともに、開動作時に押圧部とフレーム部との接着面のストレスを低減させる原稿圧板、画像読取装置および画像形成装置は公知である（特許文献１を参照）。
【０００３】
図７と図８において、従来の原稿画像読取装置１００のとしてシートスルー式自動原稿給送装置（シートスルーＡＤＦ）１０４の底面に取付けられた圧板１０３は、原稿画像読取手段１０２で原稿画像の読み取りを行うために、コンタクトガラス１０１上に載置して静止させた原稿（Ｏ）を押さえるための白色シート１０３ａの上側に、均一な押さえ力を得るためのスポンジシート１０３ｂが両面粘着テープ等で接着され、更に、その上にある程度の剛性を得るための樹脂製シート１０３ｃが両面粘着テープ等で接着されており、更に、その上に外装部１０３ｅ、又は、シートスルー式自動原稿給送装置（シートスルーＡＤＦ）１０４を取り付ける取り付け部材１０３ｄが設けてある。
圧板１０３を着脱可能にする構成であれば、取り付け部材１０３ｄとしては、面ファスナーなどを用いるが、圧板１０３を生産時以降は着脱しない構成であれば、取り付け部材１０３ｄとしては粘着テープ等が使用されている。
同時に、圧板１０３としてある程度の剛性を得るための樹脂製シート１０３ｃは、着脱操作の際に良好な操作性を得るために存在するものであり、着脱しない構成であれば必要なかった。
このように原稿をコンタクトガラス上に圧接する圧板を備える原稿画像読取装置においては、折り目、波うち、カールがある紙の原稿を、コンタクトガラス上からの浮きが生じないように押さえなくてはならない。
もしも、大きな浮きが生じた場合には、読み取った原稿画像には、地汚れや部分的な画像の乱れが生じてしまう。
よって、通常は、圧板を備える構成の原稿画像読取装置においては、白色でシート状の部材を上方側からコンタクトガラス方向へ加圧する手段が設けられていた。
例えば、シートスルー式自動原稿給送装置（シートスルーＡＤＦ）の底面に取付けられた圧板の場合は、裏側にスポンジ材の付いた樹脂製白色シートが底部に設けられているような構成が多い。
【０００４】
然し、このような構成においては、スポンジ材の弾力により樹脂製白色シートで原稿をコンタクトガラス上にしっかりと密着させた場合には、原稿がコンタクトガラス上にない状態で、シートスルー式自動原稿給送装置（シートスルーＡＤＦ）を開ける際に、空気圧によって白色シートがコンタクトガラス上に貼り付いてしまい、操作時に抵抗力を感じ、更に、勢いよく、シートスルー式自動原稿給送装置（シートスルーＡＤＦ）のユニットを開けた際には、シートスルー式自動原稿給送装置（シートスルーＡＤＦ）、又は、原稿画像読取手段のスキャナ等とそれらの部品等が破損してしまう懸念があった。
そのために、従来においては、白色シートとコンタクトガラス上面との間に手前側の一部で隙間を作って空気を入れるための部材の隙間部材を設けているものがあった。
前述のように、白色シートとコンタクトガラス上の間に隙間が生じると、原稿画像に影響を与える懸念があるので、前記の隙間部材は手前側の狭い範囲に配置する必要があり、そのため充分に空気を入れることが出来なかった。
いずれにしても、白色シートとコンタクトガラス上面との間に、常時、隙間が生じている状態は、原稿をコンタクトガラス上に密着させるという圧板の機能としては望ましいものではなかった。
従って、従来の原稿画像読取装置においては、圧板の白色シートとコンタクトガラス上面との間に隙間が生じると、読み取った原稿画像に地汚れや部分的な画像の乱れが生じて、原稿をコンタクトガラス上に密着させるという圧板の機能としては望ましいものではなかった。また、スポンジ材等の弾力により白色シートで原稿をコンタクトガラス上にしっかりと密着させた場合には、原稿がコンタクトガラス上にない状態で、圧板の外装部やシートスルー式自動原稿給送装置（シートスルーＡＤＦ）を開ける際に、空気圧によって白色シートがコンタクトガラス上に貼り付いてしまって、操作時に抵抗力を感じ、更に、勢いよく、圧板の外装部やシートスルー式自動原稿給送装置（シートスルーＡＤＦ）のユニットを開けた際には、原稿画像読取手段のスキャナやシートスルー式自動原稿給送装置（シートスルーＡＤＦ）等とそれらの部品等が破損してしまうと言う不具合が生じていた。
【特許文献１】特開２００３−６６５４５公報
【発明の開示】
【発明が解決しようとする課題】
【０００５】
そこで本発明の課題は、このような問題点を解決するものである。即ち、原稿とコンタクトガラス上面との隙間の存在による地汚れや原稿画像の乱れの発生を防止すると共に、圧板を開ける際の必要時のみコンタクトガラス上面と圧板との間に空気を入れて貼り付きを防止する、良好な操作性を得て、貼り付きによる部品等の破損を防止して、安全で簡単な構造の低コストで信頼性の高い高品質の原稿画像の読み取りを行って、高速で高品質の記録画像を形成する原稿画像読取装置、及び、その原稿画像読取装置を具備する画像形成装置を提供することを目的とする。
【課題を解決するための手段】
【０００６】
上記目的を達成するために、請求項１に記載の本発明は、静止した原稿の原稿画像を読み取る原稿画像読取装置において、読み取る原稿を載置するコンタクトガラスと、上記コンタクトガラス上に載置して静止した原稿の原稿画像を走査して読み取る原稿画像読取手段と、上記原稿画像読取手段が原稿画像を走査して読み取り時に上記コンタクトガラス上に原稿を圧接して密着する圧板と、上記圧板の端部に形成した弾性部材と、上記弾性部材を上記コンタクトガラス上から揺り動かす弾性部材揺動手段とからなる原稿画像読取装置であることを最も主要な特徴とする。
又は、請求項２に記載の本発明は、請求項１に記載の原稿画像読取装置において、圧板は、コンタクトガラスのカバーを兼ねている原稿画像読取装置であることを主要な特徴とする。
又は、請求項３に記載の本発明は、請求項１に記載の原稿画像読取装置において、圧板は、シートスルー式自動原稿給送装置の底面を兼ねている原稿画像読取装置であることを主要な特徴とする。
又は、請求項４に記載の本発明は、請求項１、２又は３に記載の原稿画像読取装置において、弾性部材は、圧板の白色シートを兼ねている原稿画像読取装置であることを主要な特徴とする。
又は、請求項５に記載の本発明は、請求項１、２、３又は４に記載の原稿画像読取装置において、弾性部材は、樹脂材からなる原稿画像読取装置であることを主要な特徴とする。
【０００７】
又は、請求項６に記載の本発明は、請求項１、２、３、４又は５に記載の原稿画像読取装置において、弾性部材は、コンタクトガラスの手前側の端部から突き出ている突出部からなる原稿画像読取装置であることを主要な特徴とする。
又は、請求項７に記載の本発明は、請求項６に記載の原稿画像読取装置において、突出部に当接するコンタクトガラスの手前側の端部、又は、上記コンタクトガラスの手前側の上記端部を位置決めして保持するコンタクトガラス保持部材の端部に曲率を形成した原稿画像読取装置であることを主要な特徴とする。
又は、請求項８に記載の本発明は、請求項１、２、３、４、５、６又は７に記載の原稿画像読取装置において、弾性部材揺動手段は、圧板の密着の開放操作に連動する揺動部材からなる原稿画像読取装置であることを主要な特徴とする。
又は、請求項９に記載の本発明は、請求項８に記載の原稿画像読取装置において、揺動部材は、圧板を開閉する外装取手に回動可能に保持されている原稿画像読取装置であることを主要な特徴とする。
又は、請求項１０に記載の本発明は、請求項９に記載の原稿画像読取装置において、揺動部材は、外装取手内に回動可能に保持された揺動取手からなる原稿画像読取装置であることを主要な特徴とする。
又は、請求項１１に記載の本発明は、原稿画像読取装置で読み取った原稿読み取り画像データで記録画像を形成する画像形成装置において、上記請求項１、２、３、４、５、６、７、８、９又は１０に記載の原稿画像読取装置と、上記原稿画像読取装置で読み取った読み取り原稿の原稿読み取り画像データで記録画像を形成する画像形成部とからなる画像形成装置であることを最も主要な特徴とする。
又は、請求項１２に記載の本発明は、請求項１１に記載の画像形成装置において、画像形成部は、電子写真方法の作像プロセスでトナーの記録画像を形成する画像形成装置であることを主要な特徴とする。
【発明の効果】
【０００８】
本発明は、以下に説明するように構成されているので、請求項１の発明によれば、原稿とコンタクトガラス上面との隙間による地汚れや原稿画像の乱れの発生を防止すると、共に、必要時のみ、コンタクトガラス上と圧板の当接する間に空気を入れて貼り付きを防止する、良好な操作性を得て、貼り付きによる部品等の破損を防止して、安全で簡単な構造の低コストで信頼性の高い高品質の原稿画像の読み取りを行う原稿画像読取装置を提供することが出来るようになった。
請求項２の発明によれば、原稿とコンタクトガラス上面との隙間による地汚れや原稿画像の乱れの発生を防止すると、共に、必要時のみ、コンタクトガラス上と上記コンタクトガラスのカバーを兼ねている圧板の当接する間に空気を入れて貼り付きを防止する、良好な操作性を得て、貼り付きによる部品等の破損を防止して、安全で簡単な構造の低コストで信頼性の高い高品質の原稿画像の読み取りを行う原稿画像読取装置を提供することが出来るようになった。
請求項３の発明によれば、原稿とコンタクトガラス上面との隙間による地汚れや原稿画像の乱れの発生を防止すると、共に、必要時のみ、コンタクトガラス上とシートスルー式自動原稿給送装置の底面を兼ねている圧板の当接する間に空気を入れて貼り付きを防止する、良好な操作性を得て、貼り付きによる部品等の破損を防止して、安全で簡単な構造の低コストで信頼性の高い高品質の原稿画像の読み取りを行う原稿画像読取装置を提供することが出来るようになった。
請求項４の発明によれば、原稿とコンタクトガラス上面との隙間による地汚れや原稿画像の乱れの発生を防止すると、共に、必要時のみ、コンタクトガラス上と圧板の当接する間に空気を入れて貼り付きを防止する、良好な操作性を得て、貼り付きによる部品等の破損を防止して、安全で、弾性部材は圧板の白色シートを兼ねているから、更に、簡単な構造の低コストで信頼性の高い高品質の原稿画像の読み取りを行う原稿画像読取装置を提供することが出来るようになった。
【０００９】
請求項５の発明によれば、原稿とコンタクトガラス上面との隙間による地汚れや原稿画像の乱れの発生を防止すると、共に、必要時のみ、コンタクトガラス上と圧板の当接する間に空気を入れて貼り付きを防止する、良好な操作性を得て、貼り付きによる部品等の破損を防止して、安全の簡単な構造で、弾性部材は樹脂材からなるから、更に、低コストで信頼性の高い高品質の原稿画像の読み取りを行う原稿画像読取装置を提供することが出来るようになった。
請求項６の発明によれば、原稿とコンタクトガラス上面との隙間による地汚れや原稿画像の乱れの発生を防止すると、共に、必要時のみ、コンタクトガラス上と圧板の当接する間の隙間に空気を容易に入れて貼り付きを防止する、更に、良好な操作性を得て、貼り付きによる部品等の破損を防止して、安全で簡単な構造の低コストで信頼性の高い高品質の原稿画像の読み取りを行う原稿画像読取装置を提供することが出来るようになった。
請求項７の発明によれば、原稿とコンタクトガラス上面との隙間による地汚れや原稿画像の乱れの発生を防止すると、共に、必要時のみ、コンタクトガラス上と圧板の当接する間の隙間に空気を、更に、容易に入れて貼り付きを防止する、更に、良好な操作性を得て、貼り付きによる部品等の破損を防止して、安全で簡単な構造の低コストで信頼性の高い高品質の原稿画像の読み取りを行う原稿画像読取装置を提供することが出来るようになった。
請求項８の発明によれば、原稿とコンタクトガラス上面との隙間による地汚れや原稿画像の乱れの発生を防止すると、共に、圧板をコンタクトガラス上から開ける際の必要時のみ、コンタクトガラス上と圧板の当接する間の隙間に空気を容易に入れて貼り付きを防止する、良好な操作性を得て、貼り付きによる部品等の破損を防止して、安全で簡単な構造の低コストで信頼性の高い高品質の原稿画像の読み取りを行う原稿画像読取装置を提供することが出来るようになった。
【００１０】
請求項９の発明によれば、原稿とコンタクトガラス上面との隙間による地汚れや原稿画像の乱れの発生を防止すると、共に、圧板を上記コンタクトガラス上から開ける際の必要時のみ、コンタクトガラス上と圧板の当接する間の隙間に空気を容易に入れて貼り付きを防止する、簡単な構造で良好な操作性を得て、貼り付きによる部品等の破損を防止して、安全で簡単な構造の低コストで信頼性の高い高品質の原稿画像の読み取りを行う原稿画像読取装置を提供することが出来るようになった。
請求項１０の発明によれば、原稿とコンタクトガラス上面との隙間による地汚れや原稿画像の乱れの発生を防止すると、共に、圧板を上記コンタクトガラス上から開ける際の必要時のみ、コンタクトガラス上と圧板の当接する間の隙間に空気を容易に入れて貼り付きを防止する、簡単な構造で、更に、良好な操作性を得て、貼り付きによる部品等の破損を防止して、安全で簡単な構造の低コストで信頼性の高い高品質の原稿画像の読み取りを行う原稿画像読取装置を提供することが出来るようになった。
請求項１１の発明によれば、原稿とコンタクトガラス１との隙間による地汚れや原稿画像の乱れの発生を防止すると、共に、圧板を開ける際の必要時のみ、コンタクトガラス上と圧板の当接する間に空気を入れて貼り付きを防止する、良好な操作性を得て、貼り付きによる部品等の破損を防止して、安全で簡単な構造の低コストで信頼性の高い高品質の原稿画像の読み取りを行って、原稿画像読取装置で読み取った原稿読み取り画像データで記録画像を形成する原稿画像読取装置を具備する画像形成装置を提供することが出来るようになった。
請求項１２の発明によれば、原稿とコンタクトガラス１との隙間による地汚れや原稿画像の乱れの発生を防止すると、共に、圧板を開ける際の必要時のみ、コンタクトガラス上と圧板の当接する間に空気を入れて貼り付きを防止する、良好な操作性を得て、貼り付きによる部品等の破損を防止して、安全で簡単な構造の低コストで信頼性の高い高品質の原稿画像の読み取りを行って、原稿画像読取装置で読み取った原稿読み取り画像データで高速で高品質の記録画像を形成する原稿画像読取装置を具備する画像形成装置を提供することが出来るようになった。
【発明を実施するための最良の形態】
【００１１】
次に、本発明の実施の形態を図面を参照して詳細に説明する。
図１と図２は本発明の一実施形態に係る原稿画像読取装置の要部構成図であり、静止原稿の画像を読み取る原稿画像読取装置０は、読み取る原稿（Ｏ）を載置するコンタクトガラス１と、コンタクトガラス１上に静止状態で載置された原稿（Ｏ）の画像を走査して読み取る原稿画像読取手段２と、原稿画像読取手段２による原稿読み取り時にコンタクトガラス１上に原稿を圧接して密着させるために矢印（Ｚ）方向に回動して開閉する圧板３と、圧板３の端部に形成した弾性部材４と、弾性部材４をコンタクトガラス１上から揺り動かす弾性部材揺動手段５とからなり、原稿（Ｏ）とコンタクトガラス１上との隙間による地汚れや原稿画像の乱れの発生を防止すると共に、必要時のみ、コンタクトガラス１上面と圧板３と間に空気を入れて貼り付きを防止する、良好な操作性を得て、貼り付きによる部品などの破損を防止して、安全で簡単な構造の低コストで信頼性の高い高品質の原稿画像の読み取りを行う。
圧板３は、取り付け部材３ｄで、図１に図示する外装部３ｅの底面に、又は、図２に図示するシートスルー式自動原稿給送装置（シートスルーＡＤＦ）６の底面に取付けられて、コンタクトガラス１のカバー、又は、シートスルー式自動原稿給送装置（シートスルーＡＤＦ）６の各底面を兼ねている。
【００１２】
圧板３は、原稿画像読取手段２で原稿画像の読み取りを行うために、コンタクトガラス１上に載置した原稿（Ｏ）を押さえるための樹脂製白色シート３ａと、白色シート３ａの上側に均一な押さえ力を得るために両面粘着テープ等で接着されたスポンジシート３ｂと、スポンジシート３ｂの上面にある程度の剛性を得るために両面粘着テープ等で接着された樹脂製シート３ｃと、を備え、この圧板３は、樹脂製シート３ｃの上面に配置される取り付け部材３ｄによって、図１に図示する外装部３ｅの底面に、又は、図２に図示するシートスルー式自動原稿給送装置（シートスルーＡＤＦ）６の底面に取り付けられる。
圧板３を着脱可能にする構成であれば、取り付け部材３ｄとしては面ファスナー等を用いるが、圧板３を生産時以降は着脱しない構成であれば、取り付け部材３ｄとしては粘着テープ等でもよい。
同時に、圧板３としてある程度の剛性を得るための樹脂製シート３ｃは、着脱操作の際に良好な操作性を得るために存在するものであり、着脱しない構成であれば必ずしも必要はない。
いずれにしても、原稿画像読取装置０においては、原稿（Ｏ）をコンタクトガラス１上に圧接する圧板３は、折り目、波うち、カールがある原稿（Ｏ）の原稿用紙を、コンタクトガラス１上からの浮きが生じないように密着して押さえ込む。
原稿画像読取装置０は、コンタクトガラス１上に静止状態で載置された原稿（Ｏ）を、又は、所定の読み取り位置に搬送された原稿（Ｏ）を、更に、所定の速度で搬送しながら、原稿画像読取手段２を移動、又は、固定して原稿（Ｏ）の画像を読み取る装置であり、あるいは、読み取った原稿読み取り画像データで画像を形成する印刷装置等のインクジェットプリンタや、電子写真方法による帯電、書き込み、現像、転写、クリーニング等の作像プロセスを繰り返してトナーの記録画像を形成する複写機、ファクシミリ装置、プリンタ、あるいはこれ等の複合機等の画像形成装置５０に具備されている。
【００１３】
図３において、原稿画像読取装置０における原稿画像読取手段２の読み取り原稿（Ｏ）の読み取りは、まず、コンタクトガラス１上に載置して静止されて、左スケール９を基準に読み取り原稿（Ｏ）がセットされて、圧板３にてコンタクトガラス１上に原稿（Ｏ）を圧接して密着するように押える。
読み取り原稿（Ｏ）の読み取りスタートにて、図示しない駆動源の駆動モータが、回転駆動を開始してスキャナ２ａの第１キャリッジ２ａ１と第２キャリッジ２ａ２を、図示しない歯車列、タイミングベルト、並びに、平ベルト等を経て、図示の矢印（Ａ）方向に駆動する。
スキャナ２ａの第１キャリッジ２ａ１と第２キャリッジ２ａ２が、一度、ホームポジションに移動する。
そこから、所定のパルス量だけ、図示しない駆動源の駆動モータが回転駆動して、照明光源２ｂのランプにて読み取り原稿（Ｏ）を照射し、第１ミラー２ｃ、第２ミラー２ｄ、第３ミラー２ｅ、レンズ２ｆ等を介してＣＣＤ２ｇに光が入って、原稿画像を読み取る。
図４と図５に示す要部拡大図おいて、弾性部材４は、圧板３の端部にあり、樹脂材からなる白色シート３ａを兼ねているから、低コストで簡単な構造になっている。
弾性部材４の突出部４ａは、コンタクトガラス１の手前側の端部１ａから外方へ突き出ているから、弾性部材揺動手段５で図示の矢印（Ｂ）方向に揺り動かす時に、コンタクトガラス１上と白色シート３ａとの間の隙間１０に、図示の矢印（Ｃ）方向に必要時のみに空気を入れ易くなって、操作性が良好に行われる。
更に、弾性部材４の突出部４ａに当接するコンタクトガラス１の端部１ａ、又は、コンタクトガラス１の端部１ａを位置決めして保持するコンタクトガラス保持部材７の端部７ａに曲率（Ｒ）の湾曲部が形成されているから、弾性部材揺動手段５で矢印（Ｂ）方向に揺り動かす時に、隙間１０に矢印（Ｃ）方向に、更に、必要時のみに空気が入り易くなって、更に、操作性が良好に行われる。
【００１４】
弾性部材揺動手段５は、圧板３を図示の矢印（Ｄ）方向に回動して開閉する外装取手８に回動可能に保持されて、白色シート３ａの開放操作に連動する揺動部材５ａによって、弾性部材４をコンタクトガラス１上から揺り動かすようになっているから、圧板３の当接する白色シート３ａをコンタクトガラス１上から開ける際の必要時のみ、弾性部材揺動手段５で図示の矢印（Ｂ）方向に揺り動かして、隙間１０に、図示の矢印（Ｃ）方向に空気を容易に入れる。
弾性部材揺動手段５は、圧板３を図示の矢印（Ｄ）方向に開閉する外装取手８に回動可能に保持されて、コンタクトガラス１上と当接する白色シート３ａの開放操作に連動する揺動部材５ａと、揺動部材５ａと連動し外装取手８内に回動可能に保持された揺動取手５ｂによって、弾性部材４をコンタクトガラス１上から揺り動かすようになっているから、白色シート３ａをコンタクトガラス１上から開ける際の必要時のみ、弾性部材揺動手段５で図示の矢印（Ｂ）方向に揺り動かして、コンタクトガラス１上と白色シート３ａとの間に、図示の矢印（Ｃ）方向に空気を容易に入り、貼り付きを防止する、更に、操作性が良好で、貼り付きによる部品などの破損を防止して、安全で簡単な構造の低コストで信頼性の高い高品質の原稿画像の読み取りを行う原稿画像読取装置０を提供することが出来るようになった。
【００１５】
弾性部材揺動手段５の揺動部材５ａの下端は、白色シート３ａの手前端部の弾性部材４の突出部４ａの上面に固定されており、他端は、揺動取手５ｂの一端にピンｐ１によって回動可能な状態で接続されている。
揺動取手５ｂの他端は、外装取手８の内部に、ピンｐ２によって回動可能な状態で接続保持されている。
ここでユーザーが、外装取手８を持ち、圧板３と一体の外装部３ｅ、又は、シートスルー式自動原稿給送装置（シートスルーＡＤＦ）６を図示の矢印（Ｄ）方向に開ける操作をするとき、通常は、必然的に指先が、揺動取手５ｂにかかった状態で図示の矢印（Ｄ）方向の上方に力を加えるので、揺動部材５ａを介して、白色シート３ａの手前端部の弾性部材４の突出部４ａの手前端部のみが最初に持ち上がって隙間１０を生じさせ、コンタクトガラス１の上面と圧板３の白色シート３ａの下面の隙間１０に図示の矢印（Ｃ）方向に空気が流入する。
この一連の動作で、コンタクトガラス１の上面と圧板３の白色シート３ａの下面との間に隙間１０が生じるのは、原稿（Ｏ）の読み取り時に、故意に、弾性部材揺動手段５の揺動取手５ｂを操作した場合を除けば、圧板３と一体の外装部３ｅ、又は、シートスルー式自動原稿給送装置（シートスルーＡＤＦ）６を図示の矢印（Ｄ）方向に開ける操作時のみであり、原稿（Ｏ）の読取画像への影響の懸念はほとんどない。
又、原稿画像読取装置０は、白色シート３ａの手前端部の弾性部材４の突出部４ａの手前端部を、最初に、局所的に持上げるので、このときに大きな操作力は必要がない。
更に、原稿画像読取装置０は、ユーザーが、外装取手８を持ち、圧板３と一体の外装部３ｅ、又は、シートスルー式自動原稿給送装置（シートスルーＡＤＦ）６を図示の矢印（Ｄ）方向に開ける操作をするときの通常的、且つ、必然的な動作を利用したものであり、センサやモータなどの電気部品等を必要としない、単純、低コスト、高信頼性の機構である。
【００１６】
図６において、原稿画像読取装置で読み取った原稿読み取り画像データで記録画像を形成する画像形成装置５０は、請求項１、２、３、４、５、６、７、８、９又は１０に記載の原稿画像読取装置０と、原稿画像読取装置０で読み取った読み取り原稿（Ｏ）の原稿読み取り画像データで記録画像を形成する画像形成部５１とからなり、原稿（Ｏ）とコンタクトガラス１上との隙間１０による地汚れや原稿画像の乱れの発生を防止すると共に、圧板３を開ける際の必要時のみ、コンタクトガラス１上と圧板３の当接する間に空気を入れて貼り付きを防止する、良好な操作性を得て、貼り付きによる部品などの破損を防止して、安全で簡単な構造の低コストで信頼性の高い高品質の原稿画像の読み取りを行って、原稿画像読取装置０で読み取った原稿読み取り画像データで記録画像を形成するようになっている。
電子写真方法の作像プロセスにより高速で高品質のトナー画像が形成される画像形成部５１の内部には、像担持体５１ａのドラム形状の感光体ドラムが回動可能に支持されて配置されている。
像担持体５１ａのドラム形状の感光体ドラムは、図示の矢印（Ｅ）方向の時計方向に回転駆動され、この時、帯電装置５１ｂによって、像担持体５１ａ表面５１ａ１が所定の電位に帯電される。
【００１７】
又、書き込みユニット５１ｃからは、原稿画像読取装置０の原稿画像読取手段２のＣＣＤ２ｇにより原稿（Ｏ）から読み取られた画像情報の読み取り画像データに応じて光変調されたレーザー光（Ｌ）が出射し、そのレーザー光（Ｌ）が帯電された像担持体５１ａの表面５１ａ１を露光し、これによって、像担持体５１ａの表面５１ａ１に静電潜像が形成される。
像担持体５１ａの表面５１ａ１に形成された静電潜像は現像装置５１ｄによって顕像化されてトナーの記録画像が形成され、対向する転写装置５１ｅによって、像担持体５１ａの表面５１ａ１と転写装置５１ｅの間に給送された被記録体（Ｐ）の記録用紙に転写されて記録される。
トナーの記録画像が被記録体（Ｐ）の記録用紙に転写後の像担持体５１ａの表面５１ａ１は、クリーニング装置５１ｆによって清掃されて、次工程の画像形成に備えられる。
画像形成部５１の下部に給紙装置５２が配置され、被記録体（Ｐ）の記録用紙を収容した複数のいずれかの給紙カセット５２ａ、給紙カセット５２ｂ、給紙カセット５２ｃから図示の矢印（Ｆ）方向に送り出されて、その被記録体（Ｐ）の記録用紙の表面に、上述のように像担持体５１ａ表面５１ａ１に形成されたトナーの記録画像が転写される。
次に、被記録体（Ｐ）の記録用紙は図示の矢印（Ｇ）方向に画像形成部５１内の定着装置５１ｇを通過し、この時の加熱と加圧力の作用によって、被記録体（Ｐ）の記録用紙の表面に転写されたトナーの記録画像が、被記録体（Ｐ）の記録用紙の表面に定着される。
定着装置５１ｇを通過した被記録媒体（Ｐ）の記録用紙は、排紙ローラ対５１ｈによって排紙トレイ５１ｉに排出されて収納される。
従って、原稿（Ｏ）とコンタクトガラス１上との隙間１０による地汚れや原稿画像の乱れの発生を防止すると共に、圧板３を開ける際の必要時のみ、コンタクトガラス１上と圧板３の当接する間の隙間１０に空気を入れて貼り付きを防止する、良好な操作性を得て、貼り付きによる部品等の破損を防止して、安全で簡単な構造の低コストで信頼性の高い高品質の原稿画像の読み取りを行って、原稿画像読取装置０で読み取った原稿読み取り画像データで高速で、更に、高品質の記録画像を形成する原稿画像読取装置０を具備する画像形成装置５０を提供することが出来るようになった。
【図面の簡単な説明】
【００１８】
【図１】本発明の実施の形態例を示す原稿画像読取装置を説明する説明図。
【図２】本発明の他の実施の形態例を示す原稿画像読取装置を説明する説明図。
【図３】本発明の実施の形態例を示す原稿画像読取装置の主要部を説明する説明図。
【図４】本発明の実施の形態例を示す原稿画像読取装置の他の主要部の状態を説明する説明図。
【図５】本発明の実施の形態例を示す原稿画像読取装置の他の主要部の他の状態を説明する説明図。
【図６】本発明の実施の形態例を示す原稿画像読取装置を具備する画像形成装置を説明する説明図。
【図７】従来の原稿画像読取装置を説明する説明図。
【図８】従来の原稿画像読取装置の主要部を説明する拡大断面図。
【符号の説明】
【００１９】
０  原稿画像読取装置
１  コンタクトガラス、
１ａ  端部
２  原稿画像読取手段、
２ａ  スキャナ、
２ａ１  第１キャリッジ、
２ａ２  第２キャリッジ、
２ｂ  照明光源、
２ｃ  第１ミラー、
２ｄ  第２ミラー、
２ｅ  第３ミラー、
２ｆ  レンズ、
２ｇ  ＣＣＤ
３  圧板、
３ａ  白色シート、
３ｂ  スポンジシート、
３ｃ  樹脂製シート、
３ｄ  取り付け部材、
３ｅ  外装部
４  弾性部材、
４ａ  突出部
５  弾性部材揺動手段、
５ａ  揺動部材、
５ｂ  揺動取手
６  シートスルー式自動原稿給送装置（シートスルーＡＤＦ）
７  コンタクトガラス保持部材、
７ａ  端部
８  外装取手
９  左スケール
１０  隙間
５０  画像形成装置
５１  画像形成部、
５１ａ  像担持体、
５１ａ１  表面、
５１ｂ  帯電装置、
５１ｃ  書き込みユニット、
５１ｄ  現像装置、
５１ｅ  転写装置、
５１ｆ  クリーニング装置、
５１ｇ  定着装置、
５１ｈ  排紙ローラ対、
５１ｉ  排紙トレイ
５２  給紙装置、
５２ａ  給紙カセット、
５２ｂ  給紙カセット、
５２ｃ  給紙カセット
１００  原稿画像読取装置
１０１  コンタクトガラス
１０２  原稿画像読取手段
１０３  圧板、
１０３ａ  白色シート、
１０３ｂ  スポンジシート、
１０３ｃ  樹脂製シート、
１０３ｄ  取り付け部材、
１０３ｅ  外装部
１０４  シートスルー式自動原稿給送装置（シートスルーＡＤＦ）
【図１】
2006148604.tif 000003
【図２】
2006148604.tif 000004
【図３】
2006148604.tif 000005
【図４】
2006148604.tif 000006
【図５】
2006148604.tif 000007
【図６】
2006148604.tif 000008
【図７】
2006148604.tif 000009
【図８】
2006148604.tif 000010